(57)【要約】【課題】光源を支持する支持部材における温度勾配の発生を抑制しつつ、放熱性を向上することができる照明装置を提供する。【解決手段】ＬＥＤ２，２…と、ＬＥＤ２，２…を内部に収容し、ＬＥＤ２，２…からの光を透過する透光性カバー４とを備える照明装置において、ＬＥＤ２，２…を支持する支持筒１と、支持筒１の内側及び外側に冷却媒体である空気を流動させる冷却媒体流動路とを備えている。これにより、自然対流により支持筒１を両面から、換言すると実装基板２１，２１…を両面から冷却することが可能となり、放熱性を向上することができる。【選択図】図１
2010135181.tif 000002
【特許請求の範囲】
【請求項１】
光源と、該光源を内部に収容し、前記光源からの光を透過する透光性収容体とを備える照明装置において、前記光源を支持する支持筒と、該支持筒の内側及び外側に冷却媒体を流動させる冷却媒体流動路とを備えることを特徴とする照明装置。
【請求項２】
前記支持筒を固定する固定部を備え、該固定部には前記冷却媒体を通過させる流通孔を設けてあることを特徴とする請求項１に記載の照明装置。
【請求項３】
前記固定部を保持し、内部に空洞を有する中空保持部を備えており、前記透光性収容体及び中空保持部の内部を前記支持筒及び流通孔により連通させてあることを特徴とする請求項２に記載の照明装置。
【請求項４】
前記固定部に連設され、前記光源からの熱を放散する放熱部を備えていることを特徴とする請求項２または３に記載の照明装置。
【請求項５】
前記透光性収容体は有底円筒形状をなし、前記透光性収容体及び支持筒は略同心的に配置してあることを特徴とする請求項１から４の何れか一つに記載の照明装置。
【請求項６】
前記光源はＬＥＤであることを特徴とする請求項１から５の何れか一つに記載の照明装置。
【発明の詳細な説明】
【技術分野】
【０００１】
本発明は、自然対流により放熱性を向上するように構成された照明装置に関する。
【背景技術】
【０００２】
照明装置は、一般に、光源等の発熱部品を内部に収容している。このため、内部に収容された発熱部品の性能を確保すべく、該発熱部品の温度上昇を抑制すると共に、安全の観点から照明装置の外面の温度上昇を抑制するように照明装置を構成する必要がある。特に、発光ダイオード（以下、ＬＥＤという）を光源として用いる照明装置においては、ＬＥＤの温度上昇に伴い、ＬＥＤの寿命特性が悪化すると共に、発光効率が低下し、必要な光量を確保し難くなるという問題が生じる虞があるため、ＬＥＤの温度上昇を抑制すべく、放熱性の良好な構造にする必要がある。そこで、発熱部品が発した熱を外部の空気に放散すべく、種々の放熱構造を有する照明装置が提案されている（例えば、特許文献１参照）。
【０００３】
特許文献１に開示されたＬＥＤランプは、光源であるＬＥＤ素子と、ＬＥＤ素子が実装された実装基板を支持する支持部材と、実装基板を収納するバルブとを備えてなる。このＬＥＤランプは、前記バルブの壁に設けた対向する一対の孔に、前記支持部材を貫通させてあり、ＬＥＤ素子からの熱を支持部材に伝達し、伝達された熱を、前記支持部材の内部の流体から外部の空気に放熱するように構成してある。このように構成することにより、放熱性を向上し、ＬＥＤ素子の温度上昇を抑制することができる。
【特許文献１】特開２００４−２９６２４５号公報
【発明の開示】
【発明が解決しようとする課題】
【０００４】
ところが、特許文献１のＬＥＤランプは、ＬＥＤ素子からの熱を、支持部材の内部からのみ、冷却媒体である空気に放熱する構成であるので、放熱が十分に行われないという問題があった。また、ＬＥＤ素子からの熱は、実装基板及び支持部材を伝熱し、支持部材から冷却媒体である空気に放熱されるので、実装基板又は実装基板と支持部材の絶縁部材の材料によっては、伝熱が効果的になされず、放熱が十分に為されない虞があった。
【０００５】
本発明は斯かる事情に鑑みてなされたものであり、放熱性を向上することができる照明装置を提供することを目的とする。
【課題を解決するための手段】
【０００６】
本発明に係る照明装置は、光源と、該光源を内部に収容し、前記光源からの光を透過する透光性収容体とを備える照明装置において、前記光源を支持する支持筒と、該支持筒の内側及び外側に冷却媒体を流動させる冷却媒体流動路とを備えることを特徴とする。
【０００７】
本発明にあっては、光源を支持する支持筒の内側及び外側に冷却媒体を流動させる冷却媒体流動路を設けている。冷却媒体流動路を適切に設けることにより、自然対流により支持筒を両面から冷却することが可能となり、放熱性を向上することができる。
【０００８】
本発明に係る照明装置は、前記支持筒を固定する固定部を備え、該固定部には前記冷却媒体を通過させる流通孔を設けてあることを特徴とする。
【０００９】
本発明にあっては、支持筒を固定する固定部に冷却媒体が通過可能なように流通孔を設けている。流通孔を適切に設けることにより、自然対流により支持筒の内側及び外側を通過するように冷却媒体を流動させることが可能となる。
【００１０】
本発明に係る照明装置は、前記固定部を保持し、内部に空洞を有する中空保持部を備えており、前記透光性収容体及び中空保持部の内部を前記支持筒及び流通孔により連通させてあることを特徴とする。
【００１１】
本発明にあっては、光源からの光を透過する透光性収容体、及び固定部を保持する中空保持部の内部を、支持筒及び流通孔により連通させている。流通孔を適切に設けることにより、発熱部品である光源を収容している透光性収容体の内部と、該透光性収容体よりも温度が低い中空保持部の内部との間で、自然対流により支持筒の内側及び外側に沿って流動するように冷却媒体を循環させることが可能となる。光源からの熱は、冷却媒体から透光性収容体に伝達され、外部の空気に放散されることになる。この結果、自然対流により支持筒の内側と外側とを同じように冷却することができ、放熱性を向上することができる。
【００１２】
本発明に係る照明装置は、前記固定部に連設され、前記光源からの熱を放散する放熱部を備えていることを特徴とする。
【００１３】
本発明にあっては、光源からの熱を放散する放熱部を固定部に連設してあるから、光源からの熱は、前述した如く、照明装置内部を循環する冷却媒体により外部の空気に放散されると共に、支持筒及び固定部から放熱部に熱伝導により直接伝達されて、放熱部から外部の空気に放散されることになり、放熱性をさらに向上することができる。
【００１４】
本発明に係る照明装置は、前記透光性収容体は有底円筒形状をなし、前記透光性収容体及び支持筒は略同心的に配置してあることを特徴とする。
【００１５】
本発明にあっては、有底円筒形状を有する透光性収容体と支持筒とを略同心的に配置してあるから、冷却媒体が通過する面積を支持筒の長手方向の略全長に亘って略等しくすることができる。これにより、支持筒の内側と外側を冷却媒体が円滑に循環するように自然対流を生ぜしめることができ、放熱性をさらに向上することができる。
【００１６】
本発明に係る照明装置は、前記光源はＬＥＤであることを特徴とする。
【００１７】
本発明にあっては、光源としてＬＥＤを用いている。ＬＥＤは小型であり、配置設計の自由度が高いから、ＬＥＤを適切に支持筒に配置することにより、ＬＥＤが発する熱を効率良く支持筒の内側及び外側を流動する空気に伝達して外部の空気に放散することが可能となる。
【発明の効果】
【００１８】
本発明によれば、放熱性を向上することができる。
【発明を実施するための最良の形態】
【００１９】
以下、本発明をその実施の形態を示す図面に基づいて詳述する。
（実施の形態１）
図１は、本発明の実施の形態１に係る照明装置１００の模式的外観斜視図である。図２は、照明装置１００の模式的分解斜視図である。図３は、照明装置１００の模式的縦断面図である。図４は、図３のIV−IV線による模式的断面図である。
【００２０】
図中１は、光源を支持する支持筒である。支持筒１は、図２に示すように、四角筒形状をなし、例えば、アルミニウム等の金属製である。
【００２１】
支持筒１には、複数（図において５つ）のＬＥＤ２，２…（光源）が実装された実装基板２１，２１…が複数（図において４つ）設けてある。ＬＥＤ２は、例えば、ＬＥＤ素子と、該ＬＥＤ素子を封止し、蛍光体が分散された封止樹脂と、入力端子及び出力端子とを備えてなる表面実装型ＬＥＤである。このようなＬＥＤ２，２…は、細長い矩形板状をなす実装基板２１の一面２１ａに、該実装基板２１の長手方向に沿って適長離隔して実装してある。なお、実装基板２１はアルミニウム等の金属製であることが望ましい。
【００２２】
支持筒１の外周面１ａの各平面には、支持筒１の長手方向に沿って実装基板２１，２１…が他面２１ｂ，２１ｂ…にて夫々取付けてある。なお、実装基板２１，２１…と支持筒１との間には、熱伝導シート又はグリースを介装する方が、より望ましい。
【００２３】
ＬＥＤ２，２…が実装された実装基板２１，２１…が取付けられた支持筒１は、固定部である固定台３に固定してある。固定台３は、円板状の支持筒固定板３１と、該支持筒固定板３１の周縁に立設され、後述する放熱部５が固定される円筒状の固定筒３２とを備えてなる扁平な有底円筒形状を有している。固定台３は、例えば、アルミニウム等の金属製であり、一体成形してある。
【００２４】
支持筒固定板３１の略中央には、矩形状をなし、支持筒１が固定される固定孔３１ａが設けてある。また、支持筒固定板３１には、冷却媒体が通過可能なように、複数の流通孔３１ｂ，３１ｂ…が固定孔３１ａの各辺に整合する位置に、周方向に等配をなして設けてある。支持筒１は、一端の側をこの固定台３の固定孔３１ａに挿入し、図３に示すように、一端を固定台３の内側に適長突出させた状態にて固定してある。この結果、図４に示すように、ＬＥＤ２，２…と流通孔３１ｂ，３１ｂ…の周方向位置が略同一となり、流通孔３１ｂ，３１ｂ…が、透光性カバー４と支持筒１の間に位置する。なお、本実施の形態においては、上向き（ＬＥＤ２，２…の側が上方になる取付方向）に取付けられる照明装置１００に設けられた流通孔３１ｂ，３１ｂ…を例に示している。
【００２５】
固定台３には、有底円筒形をなし、光を透過する透光性収容体である透光性カバー４が、光源であるＬＥＤ２，２…を内部に収容するように、支持筒固定板３１の側に取付けてある。なお、図１においては、説明の便宜のため透光性カバー４を省略した照明装置１００の外観斜視図を示しており、透光性カバー４を２点鎖線にて示している。透光性カバー４は、ＬＥＤ２，２…及び実装基板２１，２１…を覆って保護すると共に、ＬＥＤ２，２…からの光を透過させる。透光性カバー４は、例えば、耐衝撃性及び耐熱性に優れたポリカーボネート樹脂製であり、図３に示すように端部を固定台３に外嵌させて、固着してある。
【００２６】
また固定台３には、放熱部５が設けてある。放熱部５は、図３に示すように、円筒形状をなす放熱筒５１と、該放熱筒５１の一端に設けられ、貫通孔を有する円板状の放熱板５２とを備えてなる。放熱部５は、アルミニウム等の金属製であり、一体成形してある。放熱部５は、放熱筒５１の他端の側（開口の側）を固定台３の固定筒３２に外嵌させて固定してある。これにより、ＬＥＤ２，２…からの熱が、実装基板２１，２１…を介して支持筒１に伝達され、更に固定台３を介して放熱部５に熱伝導により直接伝達されることになり、放熱部５から外部の空気に放散されることになる。なお、本実施の形態においては、支持筒１、固定台３及び放熱部５を夫々別体に構成してあるが、これに限定されず、２つ又は全部を一体成形してもよい。
【００２７】
放熱部５の放熱板５２の側には、絶縁リング６を介して有底円筒形状を有する口金７が設けてある。絶縁リング６は、電気絶縁性材料製であり、例えば、ＰＢＴ（ポリブチレンテレフタレート）製である。この絶縁リング６は一面にて放熱板５２の外面に当接させてある。口金７は、開口側の端縁を絶縁リング６の他面に当接した状態にて、絶縁リング６に固定してある。口金７は、電球用のソケットと螺合するための螺子加工が円筒部に施されてなる一極端子７１と、口金７の底面に突設された他極端子７２とを備えている。これら一極端子７１と他極端子７２とは絶縁してある。なお、口金７の円筒部の外形状は、例えばＥ１７又はＥ２６のねじ込み形口金と同一形状に形成してある。
【００２８】
放熱部５及び口金７により形成される空洞内には、固定台３を保持する中空保持部としての絶縁体８が設けてある。絶縁体８は、固定台を保持する固定台保持筒８１と、口金７を保持する口金保持筒８２とを備えている。固定台保持筒８１は、円筒形状を有している。口金保持筒８２は、円筒形状を有しており、固定台保持筒８１に同心をなして設けてある。固定台保持筒８１及び口金保持筒８２は、電気絶縁性材料製であり、例えば、ＰＢＴ（ポリブチレンテレフタレート）製であり、一体成形してある。この絶縁体８は、固定台保持筒８１の開口の側を固定台３の固定筒３２に内嵌させ、口金保持筒８２を口金７の内部に挿入した状態にて、固定台３と一体化してある。なお、照明装置１００は、組立状態において、図３に示すように、固定台保持筒８１と口金保持筒８２との連結部が放熱部５の放熱板５２の内面に当接するように構成してある。
【００２９】
以上の構成により、照明装置１００の内部には、透光性カバー４、固定台３及び絶縁体８により密閉された空洞が形成される。この照明装置１００の内部は、固定台３により２つの空洞（透光性カバー４の内部と絶縁体８の内部の空洞）に仕切られるとともに、これら２つの空洞が支持筒１及び流通孔３１ｂ，３１ｂ…により連通されることになり、照明装置１００の内部には、支持筒１の内側及び外側に冷却媒体を流動させる冷却媒体流動路が形成される。
【００３０】
また、絶縁体８の固定台保持筒８１の内部には、電源回路部９が収容してある。電源回路部９は、円板状の回路基板の上に複数の回路部品を実装してなる。この電源回路部９には、口金７の一極端子７１及び他極端子７２がリード線（図示せず）を介して電気的に接続してある。電源回路部９は、ＬＥＤ２，２…とリード線（図示せず）を介して電気的に接続してある。
【００３１】
図５は、実施の形態１に係る照明装置１００の要部電気回路図である。電源回路部９には、１００Ｖの商用交流電源（ＡＣ）２００が電球用のソケット（図示せず）及び口金７を介して接続してある。口金７には、電源回路部９を構成する抵抗９１の一端が接続してあり、該抵抗９１にはスピードアップ用のコンデンサ９２が並列接続してある。抵抗９１の他端には、電流制限用の抵抗９３の一端が接続してあり、抵抗９３の他端には、商用交流電圧を全波整流するダイオードブリッジ９４が接続してある。ダイオードブリッジ９４の陽極側には、複数のＬＥＤ２，２…を直列に接続してなる直列回路の一端が接続してある。該直列回路の他端は、ダイオードブリッジ９４の陰極側に接続してある。
【００３２】
以上のように構成された照明装置１００は、口金７を電球用のソケットと螺合することにより、例えば上向き（ＬＥＤ２，２…の側が上方になる取付方向）に取付けられ、商用交流電源２００に接続される。この状態にて、電源を投入したとき、口金７を介して交流電流が電源回路部９に供給され、ダイオードブリッジ９４にて整流された直流電流がＬＥＤ２，２…に供給され、ＬＥＤ２，２…が点灯する。
【００３３】
ＬＥＤ２，２…の点灯に応じて発生した熱は、実装基板２１，２１…に伝達され、更に支持筒１に伝達される。照明装置１００は、前述したように、透光性カバー４、固定台３及び絶縁体８により形成された密閉された空洞を内部に有しており、透光性カバー４の内部と絶縁体８の内部を支持筒１及び流通孔３１ｂ，３１ｂ…により連通することによって形成された冷却媒体流動路を内部に有している。ＬＥＤ２，２…からの熱により暖められた冷却媒体である空気は、この冷却媒体流動路を自然対流により以下に説明するように循環することになる。
【００３４】
図６は、ＬＥＤ２，２…からの熱により生じる自然対流の説明図である。なお、照明装置１００は、上向き（ＬＥＤ２，２…の側が上方になる取付方向）に取付けられており、生じた自然対流の上昇流を実線にて、下降流を破線にて夫々示している。
【００３５】
ＬＥＤ２，２…からの熱により、ＬＥＤ２，２…の近傍の空気が暖められ、図に示すように、支持筒１の外面１ａに取付けられた実装基板２１，２１…の一面２１ａ，２１ａ…に沿って上方に流動する上昇流が生じると共に、支持筒１の内面１ｂに沿って上方に流動する上昇流が生じる。このように透光性カバー４の内部の空気が、伝達された熱により暖められて支持筒１の内側及び外側に沿って上方に流動する一方、主として支持筒１の下方から絶縁体８の内部の空気が流入する。
【００３６】
一方、支持筒１の内側及び外側に沿って上昇した空気は、透光性カバー４に到達し、透光性カバー４を介して、外部の空気と熱交換がなされる。この結果、冷却された空気は、透光性カバー４の内面に沿って下方に流動する下降流となる。そして、透光性カバー４の内面に沿って下方に移動した空気は、固定台３の支持筒固定板３１に設けられた流通孔３１ｂ，３１ｂ…を通過して、絶縁体８の内部に流入する。この結果、透光性カバー４、固定台３及び絶縁体８により形成された密閉された冷却媒体流動路内を、支持筒１の内側及び外側に沿って流動するように空気が循環することになる。
【００３７】
実施の形態１に係る照明装置１００の放熱特性について、シミュレーションにより確認を行い、以下の結果が得られた。実施の形態１に係る照明装置１００と基本的な構成を同一とし、固定台３の支持筒固定板３１に流通孔３１ｂ，３１ｂ…を有しない構成の照明装置の場合、ＬＥＤ２の温度は１４０．９（℃）であった。また、実施の形態１に係る照明装置１００と基本的な構成を同一とし、固定台３の支持筒固定板３１に流通孔３１ｂ，３１ｂ…を有せず、かつ支持筒１の両端を閉止した構成の照明装置の場合、ＬＥＤ２の温度は１３９．０（℃）であった。そして、実施の形態１に係る照明装置１００の場合、ＬＥＤ２の温度は１３１．９（℃）であった。この結果から分かるように、自然対流により支持筒１の内側及び外側に沿って流動するように冷却媒体である空気を冷却媒体流動路内を循環させることにより、支持筒１を両面から、換言すると実装基板２１，２１…を両面から冷却することができ、該支持筒１に実装基板２１，２１…を介して設けられたＬＥＤ２，２…からの熱を効率良く放散することができ、放熱性を向上することができる。なお、本シミュレーションは、照明装置を上向き（ＬＥＤ２，２…の側が上方になる取付方向）に取付け、ＬＥＤ２の一個当たりの発熱量が０．２２（Ｗ／個）であり、周囲温度が２５℃であるという条件下において実施した。
【００３８】
実施の形態１に係る照明装置１００においては、発熱部品である光源としてのＬＥＤ２，２…を収容している透光性カバー４の内部と、該透光性カバー４よりも温度が低い中空保持部である絶縁体８の内部との間で、自然対流により冷却媒体流動路内を支持筒１の内側及び外側に沿って流動するように冷却媒体である空気を循環させることができ、ＬＥＤ２，２…からの熱は、冷却媒体である空気から透光性カバー４に伝達され、外部の空気に放散されることになる。この結果、支持筒１を内側と外側との両面から、換言すると実装基板２１，２１…を両面から冷却することができ、ＬＥＤ２，２…からの熱を効率良く放散することができ、放熱性を向上することができる。また、支持筒１の内側と外側とを同じように冷却することができるから、温度勾配の発生を抑制することができる。以上により、ＬＥＤ２，２…の温度上昇を抑制して、発光効率を高くすることができると共に、ＬＥＤ２，２…の寿命特性も良好にすることができる。また、絶縁体８の内部に収容されている電源回路部９からの熱も外部の空気に放散することができ、電源回路部９を構成する電子部品の性能を確保することができる。
【００３９】
また、実施の形態１に係る照明装置１００においては、前述したように、放熱部５が固定台３に連設してあるから、ＬＥＤ２，２…からの熱が、実装基板２１，２１…を介して支持筒１に伝達され、更に固定台３を介して放熱部５に熱伝導により直接伝達され、放熱部５から外部の空気に放散される。これに加えて、前述した如く、照明装置１００内部を自然対流により循環する空気により外部の空気に放散されるから、放熱性をさらに向上することができる。
【００４０】
有底円筒形状を有する透光性カバー４の内部に四角筒状をなす支持筒１を略同心をなして設けてあるから、空気が通過する面積を支持筒１の長手方向の略全長に亘って略等しくすることができ、支持筒１の内側と外側を空気が円滑に循環するように自然対流を生ぜしめることができ、放熱性をさらに向上することができる。
【００４１】
光源としてＬＥＤを用いており、ＬＥＤは小型であり、配置設計の自由度が高いから、ＬＥＤを適切に支持筒１に配置することにより、ＬＥＤが発する熱を効率良く支持筒１の内側及び外側を流動する空気に伝達して外部の空気に放散することができる。
【００４２】
また、実施の形態１に係る照明装置１００においては、照明装置１００の密閉された冷却媒体流動路内を自然対流により循環する空気によりＬＥＤ２，２…からの熱を放散するように構成してあるから、照明装置１００の内部に、外部から埃、塵等が空洞に入り込み、電源回路部９に接触して引火又は故障が生じることを防ぐことができ、照明装置１００の安全性及びメンテナンスの容易さという点で好ましい。
【００４３】
（実施の形態２）
図７は、本発明の実施の形態２に係る照明装置１１０の模式的外観斜視図である。図８は、照明装置１１０の模式的分解斜視図である。図９は、照明装置１１０の模式的横断面図である。実施の形態２に係る照明装置１１０においては、実施の形態１に係る照明装置１００とは異なる流通孔が設けられた固定台１０３を有している。
【００４４】
支持筒１を固定する固定台１０３は、円板状の支持筒固定板１３１と、該支持筒固定板１３１の周縁に立設され、放熱部５が固定される円筒状の固定筒１３２とを備えてなる扁平な有底円筒形状を有している。支持筒固定板１３１の略中央には、矩形状をなし、支持筒１が固定される固定孔１３１ａが設けてある。
【００４５】
また、支持筒固定板１３１には、冷却媒体が通過可能なように、略四分円状を有する複数の流通孔１３１ｂ，１３１ｂ…が固定孔１３１ａの各隅に整合する位置に、周方向に等配をなして設けてある。この結果、組立状態においては、図９に示すように、ＬＥＤ２，２…が実装された実装基板２１，２１…が流通孔１３１ｂ，１３１ｂ…間に位置する。なお、本実施の形態においても、上向き（ＬＥＤ２，２…の側が上方になる取付方向）に取付けられる照明装置１１０に設けられた流通孔１３１ｂ，１３１ｂ…を例に示している。その他の構成は、図１から図６に示す実施の形態１と同様であるため、対応する構成部材に同一の参照符号を付して、その構成の詳細な説明を省略する。
【００４６】
実施の形態２に係る照明装置１１０の放熱特性について、シミュレーションにより確認を行い、以下の結果が得られた。実施の形態２に係る照明装置１１０と基本的な構成を同一とし、固定台１０３の支持筒固定板１３１に流通孔１３１ｂ，１３１ｂ…を有しない構成の照明装置の場合、ＬＥＤ２の温度は１００．８（℃）であった。また、実施の形態２に係る照明装置１１０と基本的な構成を同一とし、固定台１０３の支持筒固定板１３１に流通孔１３１ｂ，１３１ｂ…を有せず、かつ支持筒１の両端を閉止した構成の照明装置の場合、ＬＥＤ２の温度は９９．４（℃）であった。そして、実施の形態２に係る照明装置１１０の場合、ＬＥＤ２の温度は９８．０（℃）であった。この結果から分かるように、自然対流により支持筒１の内側及び外側に沿って流動するように冷却媒体である空気を冷却媒体流動路内を循環させることにより、支持筒１を両面から、換言すると実装基板２１，２１…を両面から冷却することができ、該支持筒１に実装基板２１，２１…を介して設けられたＬＥＤ２，２…からの熱を効率良く放散することができ、放熱性を向上することができる。なお、本シミュレーションは、照明装置を上向き（ＬＥＤ２，２…の側が上方になる取付方向）に取付け、ＬＥＤ２の一個当たりの発熱量が０．１４５（Ｗ／個）であり、周囲温度が２５℃であるという条件下において実施した。
【００４７】
実施の形態２に係る照明装置１１０においても、実施の形態１に係る照明装置１００と同様に、発熱部品である光源としてのＬＥＤ２，２…を収容している透光性カバー４の内部と、該透光性カバー４よりも温度が低い中空保持部である絶縁体８の内部との間で、自然対流により冷却媒体流動路内を支持筒１の内側及び外側に沿って流動するように冷却媒体である空気を循環させることができ、ＬＥＤ２，２…からの熱は、冷却媒体である空気から透光性カバー４に伝達され、外部の空気に放散されることになる。この結果、支持筒１を内側と外側との両面から、換言すると実装基板２１，２１…を両面から冷却することができ、ＬＥＤ２，２…からの熱を効率良く放散することができ、放熱性を向上することができる。また、支持筒１の内側と外側とを同じように冷却することができるから、温度勾配の発生を抑制することができる。以上により、ＬＥＤ２，２…の温度上昇を抑制して、発光効率を高くすることができると共に、ＬＥＤ２，２…の寿命特性も良好にすることができる。また、絶縁体８の内部に収容されている電源回路部９からの熱も外部の空気に放散することができ、電源回路部９を構成する電子部品の性能を確保することができる。
【００４８】
なお、以上の実施の形態においては、支持筒１は四角筒形状を有するとしているが、支持筒の形状はこれに限定されず、筒体であればよい。また、以上の実施の形態においては、透光性カバー４は有底円筒形状を有するとしているが、透光性カバーの形状はこれに限定されず、支持筒１を収容することが可能な形状であればよく、例えば、中空球形状でもよい。但し、透光性カバーの支持筒の長手方向に沿った面積の変化は緩やかであることが望ましい。
【００４９】
また、以上の実施の形態において示した流通孔は一例であり、これに限定されない。流通孔は、支持筒の内側及び外側に沿って上昇流が、透光性カバーの内側に沿って下降流が生じるように適切に設けてあればよい。以上の実施の形態の照明装置においては、流通孔を固定台の支持筒固定板に設けてあるが、支持筒１の下方（但し、支持筒固定板よりも上方）に設けてもよく、この場合においても放熱性の向上に寄与する。
【００５０】
また、以上の実施の形態においては、絶縁体８が固定台を保持する中空保持部として機能するように構成してあるが、これに限定されず、放熱部５を中空保持部として機能するように構成してもよいし、固定台と中空保持部とを一体的に設けてもよい。
【００５１】
また、以上の実施の形態においては、照明装置内部の密閉された冷却媒体流動路内を空気が循環するようにしてあるが、冷却媒体は空気に限定されない。
【００５２】
また、以上の実施の形態においては、光源として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００５３】
また、以上の実施の形態においては、電球用のソケットに取付ける照明装置を例に説明したが、前述した放熱機構はこのような照明装置に限定されず、他のタイプの照明装置、照明装置以外の発熱体を備える機器にも適用可能であり、その他、特許請求の範囲に記載した事項の範囲内において種々変更した形態にて実施することが可能であることは言うまでもない。
【図面の簡単な説明】
【００５４】
【図１】本発明の実施の形態１に係る照明装置の模式的外観斜視図である。
【図２】照明装置の模式的分解斜視図である。
【図３】照明装置の模式的縦断面図である。
【図４】図３のIV−IV線による模式的断面図である。
【図５】実施の形態１に係る照明装置の要部電気回路図である。
【図６】ＬＥＤからの熱により生じる自然対流の説明図である。
【図７】本発明の実施の形態２に係る照明装置の模式的外観斜視図である。
【図８】照明装置の模式的分解斜視図である。
【図９】照明装置の模式的横断面図である。
【符号の説明】
【００５５】
１  支持筒
２  ＬＥＤ（光源）
３，１０３  固定台（固定部）
３１ｂ，１３１ｂ  流通孔
４  透光性カバー（透光性収容体）
５  放熱部
８  絶縁体（中空保持部）
【図１】
2010135181.tif 000003
【図２】
2010135181.tif 000004
【図３】
2010135181.tif 000005
【図４】
2010135181.tif 000006
【図５】
2010135181.tif 000007
【図６】
2010135181.tif 000008
【図７】
2010135181.tif 000009
【図８】
2010135181.tif 000010
【図９】
2010135181.tif 000011